(57)【特許請求の範囲】
【請求項１】
第１の端部と、前記第１の端部の反対側の第２の端部と、前記第１の端部と前記第２の端部とに亘った第１の面と、前記第１の面の反対側の第２の面と、前記第１の面に配列された複数のキーと、前記第２の端部から前記第１の端部に向かう第１の方向に前記第１の端部から突出した被固定部と、を有した、キーボードと、
前記キーを露出させた状態で前記キーボードを収容する収容部と、前記収容部に収容された前記キーボードの前記第１の端部に対して前記第１の方向側に位置された受部と、を有した支持部材と、
前記被固定部を前記支持部材に固定した第１の固定部と、
前記第１の方向の第３の端部と、前記第１の端部における前記第１の面に重ねられた、前記第３の端部の反対の第４の端部と、を有し、前記受部に対して、前記第２の面から前記第１の面に向かう第２の方向側、に位置され、前記被固定部と前記第１の固定部とを覆ったキーボードカバーと、
前記キーボードカバーに設けられた第１の引掛部と、前記受部に設けられた第２の引掛部と、を有し、前記第１の引掛部と前記第２の引掛部との引っ掛かりにより前記キーボードカバーを前記受部に着脱可能に固定した第２の固定部と、
を備え、
前記受部と前記キーボードカバーとの間に、前記第２の方向からの前記キーボードカバーの前記第３の端部に対する押圧によって前記キーボードカバーの前記第４の端部が前記キーボードの前記第１の面から離間する前記キーボードカバーの弾性変形を許容する第１の空間が設けられた、電子機器。
【請求項２】
前記収容部に、前記第１の空間に対して前記第１の方向の反対方向かつ前記第１の端部の前記第２の方向の反対方向に位置され、前記第２の方向からの前記第１の端部に対する押圧によって前記第１の端部が前記第２の方向の反対方向に弾性変形することを許容する、前記第１の空間とは別の空間が設けられた、請求項１に記載の電子機器。
【請求項３】
前記キーボードカバーは、前記受部に面する第３の面を有し、
前記第１の空間は、前記第３の面に設けられた凹部である、請求項１または２に記載の電子機器。
【請求項４】
前記第１の端部は、前記第１の方向および前記第２の方向と交差する第３の方向に延び、
前記第２の固定部は、前記第３の方向に互いに間隔を空けて複数設けられ、
前記第１の空間は、隣り合う二つの前記第２の固定部の中間に位置された、請求項１〜３のうちいずれか一つに記載の電子機器。
【請求項５】
前記第１の空間は、前記第１の方向と交差する第３の方向における前記キーボードカバーの中央部に設けられた、請求項１〜４のうちいずれか一つに記載の電子機器。
【請求項６】
前記受部に、前記第１の空間と前記第１の端部との間に位置し、前記第２の方向からの前記キーボードカバーの前記第３の端部に対する押圧によって前記キーボードカバーの前記第４の端部が前記キーボードの前記第１の面から離間した場合に、前記第４の端部と前記第１の面との間の隙間と通じる、前記第１の空間とは別の空間が設けられた、請求項１〜５のうちいずれか一つに記載の電子機器。
【発明の詳細な説明】
【技術分野】
【０００１】
本発明は、電子機器に関する。
【背景技術】
【０００２】
従来、キーボードと、キーボードのキーが露出した状態でキーボードを収容した支持部材と、キーボードを支持部材に固定した固定部と、固定部を覆った状態で支持部材に着脱可能に固定されたキーボードカバーと、を備えた電子機器が知られている。
【先行技術文献】
【特許文献】
【０００３】
【特許文献１】特開２０１９−４０５６０号公報
【発明の概要】
【発明が解決しようとする課題】
【０００４】
この種の電子機器では、例えば、支持部材からのキーボードカバーの取り外しがしやすい新規な構成が得られれば、有益である。
【０００５】
そこで、本発明の課題の一つは、支持部材からのキーボードカバーの取り外しがしやすい新規な構成の電子機器を得ることである。
【課題を解決するための手段】
【０００６】
本発明の第１の態様にかかる電子機器は、第１の端部と、前記第１の端部の反対側の第２の端部と、前記第１の端部と前記第２の端部とに亘った第１の面と、前記第１の面の反対側の第２の面と、前記第１の面に配列された複数のキーと、前記第２の端部から前記第１の端部に向かう第１の方向に前記第１の端部から突出した被固定部と、を有した、キーボードと、前記キーを露出させた状態で前記キーボードを収容する収容部と、前記収容部に収容された前記キーボードの前記第１の端部に対して前記第１の方向側に位置された受部と、を有した支持部材と、前記被固定部を前記支持部材に固定した第１の固定部と、前記第１の方向の第３の端部と、前記第１の端部における前記第１の面に重ねられた、前記第３の端部の反対の第４の端部と、を有し、前記受部に対して、前記第２の面から前記第１の面に向かう第２の方向側、に位置され、前記被固定部と前記第１の固定部とを覆ったキーボードカバーと、前記キーボードカバーに設けられた第１の引掛部と、前記受部に設けられた第２の引掛部と、を有し、前記第１の引掛部と前記第２の引掛部との引っ掛かりにより前記キーボードカバーを前記受部に着脱可能に固定した第２の固定部と、を備え、前記受部と前記キーボードカバーとの間に、前記第２の方向からの前記キーボードカバーの前記第３の端部に対する押圧によって前記キーボードカバーの前記第４の端部が前記キーボードの前記第１の面から離間する前記キーボードカバーの弾性変形を許容する第１の空間が設けられている。
【０００７】
前記電子機器では、例えば、前記収容部に、前記第１の空間に対して前記第１の方向の反対方向かつ前記第１の端部の前記第２の方向の反対方向に位置され、前記第２の方向からの前記第１の端部に対する押圧によって前記第１の端部が前記第２の方向の反対方向に弾性変形することを許容する、前記第１の空間とは別の空間が設けられている。
【０００８】
前記電子機器では、例えば、キーボードカバーは、前記受部に面する第３の面を有し、前記第１の空間は、前記第３の面に設けられた凹部である。
【０００９】
前記電子機器では、例えば、前記第１の端部は、前記第１の方向および前記第２の方向と交差する第３の方向に延び、前記第２の固定部は、前記第３の方向に互いに間隔を空けて複数設けられ、前記第１の空間は、隣り合う二つの前記第２の固定部の中間に位置されている。
【００１０】
前記電子機器では、例えば、前記第１の空間は、前記第１の方向と交差する第３の方向における前記キーボードカバーの中央部に設けられている。
【００１１】
前記電子機器では、例えば、前記受部に、前記第１の空間と前記第１の端部との間に位置し、前記第２の方向からの前記キーボードカバーの前記第３の端部に対する押圧によって前記キーボードカバーの前記第４の端部が前記キーボードの前記第１の面から離間した場合に、前記第４の端部と前記第１の面との間の隙間と通じる、前記第１の空間とは別の空間が設けられている。
【発明の効果】
【００１２】
本発明の上記態様によれば、支持部材からのキーボードカバーの取り外しがしやすい新規な構成の電子機器を得ることができる。
【図面の簡単な説明】
【００１３】
【図１】図１は、実施形態の電子機器の正面側からの例示的な斜視図であって、ディスプレイ部が展開位置に位置された状態の図である。
【図２】図２は、実施形態の電子機器におけるベース部の例示的な平面図である。
【図３】図３は、図２のIII-III断面図である。
【図４】図４は、図２のIV-IV断面図である。
【図５】図５は、実施形態の電子機器における第１の筐体のアッパーカバーの例示的な斜視図である。
【図６】図６は、実施形態の電子機器における第１の筐体のアッパーカバーの例示的な斜視図であって、図５とは異なる方向からの斜視図である。
【図７】図７は、実施形態の電子機器におけるベース部の例示的な平面図であって、キーボードカバーが取り外された状態の図である。
【図８】図８は、図３のVIII部の拡大図である。
【図９】図９は、図４のIX部の拡大図である。
【図１０】図１０は、実施形態の電子機器におけるキーボードの例示的な斜視図である。
【図１１】図１１は、実施形態の電子機器におけるキーボードの例示的な平面図である。
【図１２】図１２は、実施形態の電子機器におけるキーボードカバーの例示的な斜視図であって、キーボードカバーの上面側を示す図である。
【図１３】図１３は、実施形態の電子機器におけるキーボードカバーの例示的な斜視図であって、キーボードカバーの下面側を示す図である。
【発明を実施するための形態】
【００１４】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１５】
なお、本明細書では、序数は、部品や、部材、部位、位置、方向等を区別するためだけに用いられており、順番や優先度を示すものではない。
【００１６】
図１は、実施形態の電子機器１の正面側からの例示的な斜視図であって、ディスプレイ部３が展開位置に位置された状態の図である。
【００１７】
図１に示すように、電子機器１は、例えば、ノートブック型（クラムシェル型）のパーソナルコンピュータとして構成され、ベース部２と、ディスプレイ部３と、を備えている。ベース部２は、例えば机や、台、棚等の載置部の平面に載置される。ディスプレイ部３は、ベース部２に対して回転中心軸Ｃ回りに回転可能にベース部２に支持され、展開位置（図１）と閉じ位置（不図示）との間を移動可能である。具体的には、ディスプレイ部３は、ヒンジ５を介してベース部２に連結されている。
【００１８】
なお、本実施形態では、便宜上、方向が定義されている。Ｘ１方向は、ベース部２の前後方向の前方と同じである。Ｘ２方向は、Ｘ１方向の反対方向であって、ベース部２の前後方向の後方と同じである。Ｙ１方向は、ベース部２の幅方向（左右方向、長手方向）に沿う方向である。Ｙ２方向は、Ｙ１方向の反対方向である。Ｚ１方向は、ベース部２の高さ方向（上下方向の上方）と同じである。Ｚ２方向は、Ｚ１方向の反対方向である。Ｘ１方向、Ｙ１方向、およびＺ１方向は、互いに直交している。また、Ｘ２方向、Ｙ２方向、およびＺ１方向は、互いに直交している。Ｘ２方向は、第１の方向の一例であり、Ｚ１方向は、第２の方向の一例であり、Ｙ１方向は、第３の方向の一例である。
【００１９】
図２は、実施形態の電子機器１におけるベース部２の例示的な平面図である。図２に示すように、ベース部２は、第１の筐体１１と、第１の筐体１１に支持されたキーボード１２と、キーボード１２の一部を覆うキーボードカバー３１と、を有している。キーボード１２は、上方から操作可能な状態に第１の筐体１１に支持されている。また、第１の筐体１１内には、基板が収容されている。基板には、ＣＰＵ（Central  Processing  Unit）や、ＲＯＭ（Read  Only  Memory）、ＲＡＭ（Random  Access  Memory）等の複数の電子部品が実装されている。基板に設けられた配線と基板に実装された複数の電子部品とによって、電子機器１の電子回路の少なくとも一部が構成されている。
【００２０】
図１に示すように、ディスプレイ部３は、第２の筐体２１と、ディスプレイユニット２２と、を有している。ディスプレイユニット２２は、表示画面２２ａが前方から視認可能な状態に、第２の筐体２１に支持されている。
【００２１】
ディスプレイ部３（第２の筐体２１）が展開位置（図１）に位置した状態では、第１の筐体１１の上面１１ａおよびキーボード１２と、第２の筐体２１の前面２１ａおよびディスプレイユニット２２の表示画面２２ａとが対向せず、第１の筐体１１の上面１１ａ、キーボード１２、第２の筐体２１の前面２１ａ、ディスプレイユニット２２の表示画面２２ａが露出する。このとき、第２の筐体２１の前面２１ａおよび後面２１ｂは、それぞれ、前方および後方を向く。
【００２２】
一方、ディスプレイ部３（第２の筐体２１）が閉じ位置（不図示）に位置した状態では、第１の筐体１１の上面１１ａおよびキーボード１２と、第２の筐体２１の前面２１ａおよびディスプレイユニット２２の表示画面２２ａとが対向する。
【００２３】
第１の筐体１１の形状は、上下方向に扁平な略直方体である。第１の筐体１１は、例えば、下壁１１ｃや、上壁１１ｄ、前壁１１ｅ、後壁１１ｆ、左壁１１ｇ、右壁１１ｈ等の複数の壁を有している。
【００２４】
下壁１１ｃは、下面１１ｂを含み、上壁１１ｄは、上面１１ａを含む。下壁１１ｃおよび上壁１１ｄは、いずれも、Ｚ１方向と直交する方向に沿って延びており、Ｚ１方向に間隔をあけて互いに平行に設けられている。
【００２５】
前壁１１ｅおよび後壁１１ｆは、いずれも、Ｘ１方向と直交する方向に沿って延びており、Ｘ１方向に間隔をあけて互いに平行に設けられている。前壁１１ｅおよび後壁１１ｆは、それぞれ、第１の筐体１１の前端部１１ｉおよび後端部１１ｊを構成している。前端部１１ｉは、回転中心軸Ｃと離間している。後端部１１ｊは、前端部１１ｉに対して回転中心軸Ｃ側に設けられている。
【００２６】
左壁１１ｇおよび右壁１１ｈは、いずれも、Ｙ１方向と直交する方向に沿って延びており、Ｙ１方向に間隔をあけて互いに平行に設けられている。左壁１１ｇおよび右壁１１ｈは、それぞれ、第１の筐体１１の左端部１１ｋおよび右端部１１ｍを構成している。
【００２７】
また、第１の筐体１１には、四つの角部１１ｎａ〜１１ｎｄが設けられている。角部１１ｎａは、前壁１１ｅと左壁１１ｇとの交差部によって構成されている。角部１１ｎｂは、左壁１１ｇと後壁１１ｆとの交差部によって構成されている。角部１１ｎｃは、後壁１１ｆと右壁１１ｈとの交差部によって構成されている。角部１１ｎｄは、右壁１１ｈと前壁１１ｅとの交差部によって構成されている。
【００２８】
図３は、図２のIII-III断面図である。図４は、図２のIV-IV断面図である。図５は、実施形態の電子機器１における第１の筐体１１のアッパーカバー１４の例示的な斜視図である。図６は、実施形態の電子機器１における第１の筐体１１のアッパーカバー１４の例示的な斜視図であって、図５とは異なる方向からの斜視図である。図７は、実施形態の電子機器におけるベース部の例示的な平面図であって、キーボードカバーが取り外された状態の図である。図８は、図３のVIII部の拡大図である。図９は、図４のIX部の拡大図である。
【００２９】
図２〜６に示すように、第１の筐体１１は、収容部１５を有する。収容部１５は、キーボード１２のキー１２ｇを露出させた状態でキーボード１２を収容する。
【００３０】
図５，６に示すように、収容部１５は、上面１１ａからＺ２方向に凹んだ形状に構成されている。収容部１５は、底面１５ａ、前面１５ｂ、後面１５ｃ、左面１５ｄ、および右面１５ｅを有する。底面１５ａは、Ｚ１方向を向いている。前面１５ｂ、後面１５ｃ、左面１５ｄ、および右面１５ｅは、底面１５ａの外縁部からＺ１方向に延びている。前面１５ｂは、Ｘ２方向を向いてＹ１方向に延びている。後面１５ｃは、前面１５ｂのＸ２方向に位置し、Ｘ１方向を向いてＹ１方向に延びている。左面１５ｄは、Ｙ２方向を向いてＸ１方向に延びている。右面１５ｅは、左面１５ｄのＹ２方向に位置し、Ｙ１方向を向いてＸ１方向に延びている。
【００３１】
図５〜７に示すように、収容部１５の後面１５ｃには、受部１５ｆが設けられている。受部１５ｆは、Ｙ１方向に互いに間隔を空けて並べられた複数の突出部１５ｆａを有する。突出部１５ｆａは、底面１５ａからＸ１方向に突出している。
【００３２】
突出部１５ｆａは、Ｚ１方向を向いた上面１５ｆｂと、Ｘ１方向を向いた前面１５ｆｃと、を有する。また、突出部１５ｆａには、Ｚ１方向に突出部１５ｆａ（上面１５ｆｂ）を貫通した孔１５ｆｅが設けられている。突出部１５ｆａにおける孔１５ｆｅの周囲の部分は、引掛部１５ｆｄを構成している。引掛部１５ｆｄは、第２の引掛部の一例である。受部１５ｆには、Ｙ１方向に互いに間隔を空けて並べられた複数の孔１５ｆｅおよび引掛部１５ｆｄが設けられている。
【００３３】
図５，８に示すように、複数の突出部１５ｆａのうち中央に位置された突出部１５ｆａには、凹部１５ｆｇが設けられている。凹部１５ｆｇは、上面１５ｆｂと前面１５ｆｃとに開口している。すなわち、凹部１５ｆｇは、Ｘ１方向およびＺ１方向に開放されている。凹部１５ｆｇは、凹状面１５ｆｈによって形成されている。換言すると、凹状面１５ｆｈは、凹部１５ｆｇに面している。凹部１５ｆｇは、別の空間の一例である。
【００３４】
また、複数の突出部１５ｆａのうち中央に位置された突出部１５ｆａのＸ１方向側に位した底面１５ａには、孔１５ｇが設けられている。孔１５ｇは、収容部１５（底面１５ａ）を貫通している。孔１５ｇは、別の空間の一例である。
【００３５】
また、収容部１５には、隣り合う二つの突出部１５ｆａ間に、雌ネジ１６が設けられている。雌ネジ１６は、Ｙ１方向に間隔を空けて複数設けられている。
【００３６】
また、図６に示すように、収容部１５の前面１５ｂには、収容部１５を貫通した複数の孔１５ｉが設けられている。収容部１５における孔１５ｉの周囲の部分は、引掛部１５ｈを構成している。
【００３７】
また、第１の筐体１１は、ロアカバー１３と、アッパーカバー１４と、を含む複数の部材の組み合わせによって構成さている。ロアカバー１３は、少なくとも下壁１１ｃおよびを含む。アッパーカバー１４は、少なくとも上壁１１ｄおよび収容部１５を含む。アッパーカバー１４は、支持部材の一例である。
【００３８】
図１０は、実施形態の電子機器１におけるキーボード１２の例示的な斜視図である。図１１は、実施形態の電子機器１におけるキーボード１２の例示的な平面図である。
【００３９】
図１０，１１に示すように、キーボード１２は、前端部１２ｃと、後端部１２ｄと、左端部１２ｅと、右端部１２ｆと、を有する。前端部１２ｃは、Ｘ１方向の端部であり、後端部１２ｄは、Ｘ２方向の端部である。すなわち、前端部１２ｃと後端部１２ｄとは、互いに反対側に設けられている。前端部１２ｃおよび後端部１２ｄは、Ｘ２方向およびＺ１方向と交差するＹ１方向に延びている。左端部１２ｅは、Ｙ１方向の端部であり、右端部１２ｆは、Ｙ２方向の端部である。すなわち、左端部１２ｅと右端部１２ｆとは、互いに反対側に設けられている。左端部１２ｅと右端部１２ｆとは、Ｘ１方向に延びている。
【００４０】
また、キーボード１２は、Ｚ１方向を向いた上面１２ａと、Ｚ２方向を向いた、上面１２ａの反対側の下面１２ｂと、を有する。上面１２ａおよび下面１２ｂは、それぞれ、前端部１２ｃと後端部１２ｄとに亘るとともに、左端部１２ｅと右端部１２ｆとに亘って設けられている。上面１２ａには、複数のキー１２ｇが配列されている。複数のキー１２ｇは、上面１２ａからＺ１方向に突出している。
【００４１】
また、キーボード１２は、板状の複数の被固定部１２ｈを有する。複数の被固定部１２ｈは、後端部１２ｄからＸ２方向に突出している。複数の被固定部１２ｈは、Ｙ１方向に互いに間隔を空けて並べられている。被固定部１２ｈには、孔１２ｈａ（図１１）が設けられている。
【００４２】
図７に示すように、複数の被固定部１２ｈは、複数の雄ネジ部材４１によって収容部１５に固定されている。雄ネジ部材４１は、孔１２ｈａに入れられるとともに雌ネジ１６と結合している。雄ネジ部材４１および雌ネジ１６は、被固定部１２ｈをアッパーカバー１４に着脱可能に固定した固定部４２を構成している。本実施形態では、複数の固定部４２が、Ｙ１方向に互いに間隔を空けて並べられている。固定部４２は、第１の固定部の一例である。
【００４３】
また、図１０，１１に示すように、キーボード１２は、板状の複数の引掛部１２ｊを有する。複数の引掛部１２ｊは、前端部１２ｃからＸ１方向に突出している。複数の引掛部１２ｊは、Ｙ１方向に互いに間隔を空けて並べられている。引掛部１２ｊは、収容部１５の孔１５ｉに入れられた状態で収容部１５の引掛部１５ｈに引っ掛けられている。
【００４４】
図１２は、実施形態の電子機器１におけるキーボードカバー３１の例示的な斜視図であって、キーボードカバー３１の上面側を示す図である。図１３は、実施形態の電子機器１におけるキーボードカバー３１の例示的な斜視図であって、キーボードカバー３１の下面側を示す図である。
【００４５】
図１２，１３に示すように、キーボードカバー３１は、Ｙ１方向を長手方向とし、Ｘ１方向を短手方向とする板状に構成されている。キーボードカバー３１は、前端部３１ｃと、後端部３１ｄと、左端部３１ｅと、右端部３１ｆと、を有する。前端部３１ｃは、Ｘ１方向の端部であり、後端部３１ｄは、Ｘ２方向の端部である。すなわち、前端部３１ｃと後端部３１ｄとは、互いに反対側に設けられている。前端部３１ｃおよび後端部３１ｄは、Ｘ２方向およびＺ１方向と交差するＹ１方向に延びている。左端部３１ｅは、Ｙ１方向の端部であり、右端部３１ｆは、Ｙ２方向の端部である。すなわち、左端部３１ｅと右端部３１ｆとは、互いに反対側に設けられている。左端部３１ｅと右端部３１ｆとは、Ｘ１方向に延びている。前端部３１ｃは、第４の端部の一例であり、後端部３１ｄは、第３の端部の一例である。キーボードカバー３１は、例えば合成樹脂材料によって構成されている。
【００４６】
また、キーボードカバー３１は、Ｚ１方向を向いた上面３１ａと、Ｚ２方向を向いた、上面３１ａの反対側の下面３１ｂと、を有する。上面３１ａおよび下面３１ｂは、それぞれ、前端部３１ｃと後端部３１ｄとに亘るとともに、左端部３１ｅと右端部３１ｆとに亘って設けられている。
【００４７】
また、図１３に示すように、下面３１ｂには、複数の引掛部３１ｇと、複数の位置決め突起３１ｈと、複数のリブ３１ｉと、が設けられている。
【００４８】
複数の引掛部３１ｇは、下面３１ｂからＺ２方向に突出している。複数の引掛部３１ｇは、Ｙ１方向に互いに間隔を空けて設けられている。引掛部３１ｇは、弾性変形可能な爪である。図９に示すように、引掛部３１ｇは、受部１５ｆに設けられた引掛部１５ｆｄに引っ掛けられている。引掛部３１ｇと引掛部１５ｆｄとは、固定部５１を構成している。固定部５１は、引掛部３１ｇと引掛部１５ｆｄとの引っ掛かりによりキーボードカバー３１を受部１５ｆに着脱可能に固定している。本実施形態では、複数の固定部５１が、Ｙ１方向に互いに間隔を空けて並べられている。引掛部３１ｇは、第１の引掛部の一例であり、引掛部１５ｆｄは、第２の引掛部の一例であり、固定部５１は、第２の固定部の一例である。
【００４９】
また、図１３に示すように、後端部３１ｄにおける下面３１ｂには、凹部３１ｊが設けられている。凹部３１ｊは、Ｚ２方向とＸ２方向とに開放されている。凹部３１Ｊは、凹状面３１ｍによって形成されている。換言すると、凹状面３１ｍは、凹部３１ｊに面している。凹部３１ｊは、受部１５ｆとキーボードカバー３１との間に設けられている。凹部３１ｊは、Ｙ１方向におけるキーボードカバー３１の中央部に設けられている。また、凹部３１ｊは、隣り合う二つの固定部５１の中間に位置されている。凹部３１ｊは、第１の空間の一例である。
【００５０】
複数の位置決め突起３１ｈは、下面３１ｂからＺ２方向に突出している。複数の位置決め突起３１ｈは、Ｙ１方向に互いに間隔を空けて設けられている。位置決め突起３１ｈは、受部１５ｆの孔１５ｆｆに入れられて、受部１５ｆに対するキーボードカバー３１の位置決めを行なう。
【００５１】
複数のリブ３１ｉは、下面３１ｂからＺ２方向に突出している。複数のリブ３１ｉは、Ｙ１方向に互いに間隔を空けて設けられている。
【００５２】
上記構成のキーボードカバー３１は、下面１２ｂから上面１２ａに向かうＺ１方向から被固定部１２ｈと固定部４２とを覆った状態で受部１５ｆのＺ１方向に位置され、固定部５１によって受部１５ｆに着脱可能に固定されている。
【００５３】
図８に示すように、上記構成のキーボードカバー３１に設けられた凹部３１ｊは、Ｚ１方向からのキーボードカバー３１の後端部３１ｄに対するＺ２方向に沿うＤ１方向の押圧によってキーボードカバー３１の前端部３１ｃがキーボード１２の上面１２ａから離間するキーボードカバー３１の弾性変形を許容する。図８では、弾性変形したキーボードカバー３１が二点鎖線で示されている。このとき、キーボードカバー３１は、凹部３１ｊの縁部３１ｎを支点として弾性変形することにより、前端部３１ｃの一部がＺ１方向に沿うＤ２方向に移動する。この弾性変形により、キーボードカバー３１の前端部３１ｃとキーボード１２の上面１２ａとの間に隙間Ｓ１が生じる。
【００５４】
また、収容部１５の孔１５ｇは、凹部３１ｊに対してＸ１方向かつ後端部１２ｄのＺ２方向に位置され、Ｚ１方向からの後端部１２ｄに対する押圧によって後端部１２ｄがＺ２方向に弾性変形することを許容する。また、受部１５ｆの凹部１５ｆｇは、凹部３１ｊと後端部１２ｄとの間に位置し、Ｚ１方向からのキーボードカバー３１の後端部３１ｄに対する押圧によってキーボードカバー３１の前端部３１ｃがキーボード１２の上面１２ａから離間した場合に、前端部３１ｃと上面１２ａとの間の隙間Ｓ１と通じる。
【００５５】
例えば、キーボード１２の交換のために、上記構成のキーボードカバー３１を取り外す場合、作業者は、指でＺ１方向からキーボードカバー３１の後端部３１ｄを押圧することにより、キーボードカバー３１の前端部３１ｃとキーボード１２の上面１２ａとの間に隙間Ｓ１を生じさせる。次に、作業者は、隙間Ｓ１に上記指とは別の指を入れて、キーボードカバー３１をＺ２１方向に押し上げて、引掛部３１ｇと引掛部１５ｆｄとの引っ掛かりを外す。これにより、キーボードカバー３１をアッパーカバー１４から取り外すことができる。この際、作業者は、更に凹部１５ｆｇに指を入れることができる。
【００５６】
以上のように、本実施形態では、電子機器１は、キーボード１２と、アッパーカバー１４（支持部材）と、固定部４２（第１の固定部）と、キーボードカバー３１と、固定部５１（第２の固定部）と、を備える。キーボード１２は、後端部１２ｄ（第１の端部）と、後端部１２ｄの反対側の前端部１２ｃ（第２の端部）と、後端部１２ｄと前端部１２ｃとに亘った上面１２ａ（第１の面）と、上面１２ａの反対側の下面１２ｂ（第２の面）と、上面１２ａに配列された複数のキー１２ｇと、前端部１２ｃから後端部１２ｄに向かうＸ２方向（第１の方向）に後端部１２ｄから突出した被固定部１２ｈと、を有する。アッパーカバー１４は、キー１２ｇを露出させた状態でキーボード１２を収容する収容部１５と、後端部１２ｄのＸ２方向に位置された受部１５ｆと、を有する。固定部４２は、被固定部１２ｈをアッパーカバー１４に着脱可能に固定している。キーボードカバー３１は、Ｘ２方向の後端部３１ｄと、後端部１２ｄにおける上面１２ａに重ねられた、後端部３１ｄの反対の前端部３１ｃと、を有し、下面１２ｂから上面１２ａに向かうＺ１方向（第２の方向）から被固定部１２ｈと固定部４２とを覆った状態で受部１５ｆのＺ１方向に位置されている。固定部５１は、キーボードカバー３１に設けられた引掛部３１ｇ（第１の引掛部）と、受部１５ｆに設けられた引掛部１５ｆｄ（第２の引掛部）と、を有し、引掛部３１ｇと引掛部１５ｆｄとの引っ掛かりによりキーボードカバー３１を受部１５ｆに着脱可能に固定している。受部１５ｆとキーボードカバー３１との間に、Ｚ１方向からのキーボードカバー３１の後端部３１ｄ（第３の端部）に対する押圧によってキーボードカバー３１の前端部３１ｃ（第４の端部）がキーボード１２の上面１２ａから離間するキーボードカバー３１の弾性変形を許容する凹部３１ｊ（第１の空間）が設けられている。
【００５７】
このような構成によれば、例えば、作業者は、指でＺ１方向からキーボードカバー３１の後端部３１ｄを押圧することにより、キーボードカバー３１の前端部３１ｃとキーボード１２の上面１２ａとの間に隙間Ｓ１を比較的容易に生じさせることができる。作業者は、隙間Ｓ１に上記指とは別の指を入れて、キーボードカバー３１をアッパーカバー１４から取り外すことができる。したがって、アッパーカバー１４からのキーボードカバー３１の取り外しがしやすい。また、上記構成によれば、例えば、キーボードカバー３１の前端部３１ｃとキーボード１２の上面１２ａとの間に隙間を作るために、キーボード１２の上面１２ａに外部に露出する凹部を設けた場合に比べて、電子機器１の美観が向上する。
【００５８】
また、本実施形態では、例えば、前記収容部１５に、凹部３１ｊに対してＸ１方向かつ後端部１２ｄのＺ２方向に位置され、Ｚ１方向からの後端部１２ｄに対する押圧によって後端部１２ｄがＺ２方向に弾性変形することを許容する、凹部３１ｊとは別の孔１５ｇが設けられている。
【００５９】
このような構成によれば、例えば、キーボードカバー３１の前端部３１ｃとキーボード１２の上面１２ａとの間に隙間Ｓ１をより大きくしやすい。
【００６０】
また、本実施形態では、例えば、キーボードカバー３１は、受部１５ｆに面する下面３１ｂ（第３の面）を有し、第１の空間は、下面３１ｂに設けられた凹部３１ｊである。
【００６１】
このような構成によれば、アッパーカバー１４に第１の空間を形成するための構成を設けなくて済む。
【００６２】
また、本実施形態では、例えば、後端部１２ｄは、Ｘ２方向およびＺ１方向と交差するＹ１方向（第３の方向）に延び、固定部５１は、Ｙ１方向に互いに間隔を空けて複数設けられ、凹部３１ｊは、隣り合う二つの固定部５１の中間に位置されている。
【００６３】
このような構成によれば、例えば、凹部３１ｊが、隣り合う二つの固定部５１のうち一方に寄って位置されている場合に比べて、キーボードカバー３１を弾性変形させやすい。
【００６４】
また、本実施形態では、例えば、凹部３１ｊは、Ｙ１方向（第３の方向）におけるキーボードカバー３１の中央部に設けられている。
【００６５】
このような構成によれば、例えば、凹部３１ｊがキーボードカバー３１の中央部に設けられている旨が知らされれば、凹部３１ｊがキーボードカバー３１の左右の一方の端部に設けられている場合に比べて、作業者は、凹部３１ｊが分かりやすい。
【００６６】
また、本実施形態では、例えば、受部１５ｆに、凹部３１ｊと後端部１２ｄとの間に位置し、Ｚ１方向からのキーボードカバー３１の後端部３１ｄに対する押圧によってキーボードカバー３１の前端部３１ｃがキーボード１２の上面１２ａから離間した場合に、前端部３１ｃと上面１２ａとの間の隙間Ｓ１と通じる、凹部３１ｊとは別の凹部１５ｆｇ（別の空間）が設けられている。
【００６７】
このような構成によれば、作業者は、凹部３１ｊから別の凹部１５ｆｇにさらに指を入れることができるので、アッパーカバー１４からのキーボードカバー３１の取り外しがしやすい。
【００６８】
なお、上記実施形態では、第１の空間がキーボードカバーに設けられた例が示されたが、これに限定されない。第１の空間は、受部に設けられていてもよい。この場合、第１の空間は、凹部や孔であってもよい。
【００６９】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００７０】
１…電子機器、１２…キーボード、１２ａ…上面（第１の面）、１２ｂ…下面（第２の面）、１２ｃ…前端部（第２の端部）、１２ｄ…後端部（第１の端部）、１２ｇ…キー、１２ｈ…被固定部、１４…アッパーカバー（支持部材）、１５…収容部、１５ｆ…受部
１５ｆｄ…引掛部（第２の引掛部）、１５ｆｇ…凹部（別の空間）、１５ｇ…孔（別の空間）、３１…キーボードカバー、３１ｂ…下面（第３の面）、３１ｃ…前端部（第４の端部）、３１ｄ…後端部（第３の端部）、３１ｇ…引掛部（第１の引掛部）、３１ｊ…凹部（第１の空間）、４２…固定部（第１の固定部）、５１…固定部（第２の固定部）。
【要約】
【課題】支持部材からのキーボードカバーの取り外しがしやすい新規な構成の電子機器を得る。
【解決手段】電子機器は、キーボードと、キーボードを収容する収容部と受部とを有した支持部材と、キーボードの被固定部を支持部材に固定した第１の固定部と、キーボードカバーと、キーボードカバーを受部に着脱可能に固定した第２の固定部と、を備える。受部とキーボードカバーとの間に、第２の方向からのキーボードカバーの第３の端部に対する押圧によってキーボードカバーの第４の端部がキーボードの第１の面から離間するキーボードカバーの弾性変形を許容する第１の空間が設けられている。
【選択図】図８【図１】
0006777877.tif 000002
【図２】
0006777877.tif 000003
【図３】
0006777877.tif 000004
【図４】
0006777877.tif 000005
【図５】
0006777877.tif 000006
【図６】
0006777877.tif 000007
【図７】
0006777877.tif 000008
【図８】
0006777877.tif 000009
【図９】
0006777877.tif 000010
【図１０】
0006777877.tif 000011
【図１１】
0006777877.tif 000012
【図１２】
0006777877.tif 000013
【図１３】
0006777877.tif 000014